(57)【要約】【課題】作業者に与える負担が少なく引き出しを容易に出し入れすることが可能な引き出し構造を提供する。【解決手段】前後方向にスライド可能に設けられる引き出しの構造において、略長方形状の引き出しと、前記引き出しの後方の両側の対称な位置にそれぞれ設けられるローラと、前記引き出しが収納される収納部と、前記引き出しの前記両側のそれぞれに対向して前記収納部に設けられ、前記ローラを前記前後方向にスライド可能に支持するガイドレールとを含み、前記ガイドレールが、前記引き出しが前方にスライドされるにつれ前記ローラの軌道を上方に移動させるように形成する。【選択図】      図１
2004355047.tif 000002
【特許請求の範囲】
【請求項１】
前後方向にスライド可能に設けられる引き出し構造であって、略長方形状の引き出しと、前記引き出しの後方両側の対称な位置にそれぞれ設けられるローラと、前記引き出しが収納される収納部と、前記引き出しの前記両側のそれぞれに対向して前記収納部に設けられ前記ローラを前記前後方向にスライド可能に支持するガイドレールと、を含み、
前記ガイドレールが、前記引き出しが前方にスライドされるにつれ前記ローラの軌道を上方に移動させるように形成されていることを特徴とする引き出し構造。
【請求項２】
請求項１に記載の引き出し構造において、
前記ガイドレールは、平板上に立設される上側レール板及び下側レール板とを有し、前記ローラは前記上側レール板及び下側レール板との間に挟まれ、
前記上側レール板が当該上側レール板の後方から所定長さ部分において上方側に屈曲することを特徴とする引き出し構造。
【請求項３】
請求項２に記載の引き出し構造において、
前記上側レール板の前方側の所定位置には、前記ローラをそれ以上前方に移動させないようにするための停止板が形成されていることを特徴とする引き出し構造。
【請求項４】
請求項３に記載の引き出し構造において、
前記引き出しの両側には前記引き出しがスライドされる方向に延びる平板状のレールが設けられ、前記収納部の前方側の前記引き出しの両端部の対称な位置にはそれぞれ前記平板状のレールが載置される支持ローラが設けられ、前記停止板は、前記支持ローラから所定距離だけ後方側に離間させた位置に設けられることを特徴とする引き出し構造。
【請求項５】
請求項１に記載の引き出し構造において、
前記引き出しは、販売される商品を収納するために自動販売機の内部に設けられる商品ケースであり、前記収納部は自動販売機の内部に上下に複数段にわたって設けられる棚板によって仕切られた空間であること、を特徴とする引き出し構造。
【発明の詳細な説明】
【０００１】
【発明の属する技術分野】
本発明は、例えば、自動販売機内の商品収納部に適用される引きだし構造に関する。
【０００２】
【従来の技術】
図７に従来の自動販売機の外観を示している。図７（ａ）は自動販売機の正面図であり、図７（ｂ）は自動販売機を側方から見た断面図である。この自動販売機は、箱状の筐体１０と、筐体１０の前面に扉式に開閉される前面パネル１３とを備えている。前面パネル１３には、投入金額や釣り銭金額等が表示される表示パネル１５、紙幣及びコインの収受を行う金銭収受装置１６、顧客が商品を取り出すための商品払出部１７、釣り銭を返却するための釣り銭払出部１８、施錠装置１９、等が設けられている。筐体１０の内部には、上下に並ぶ複数の棚板２８によって仕切られた複数の収納棚５０が設けられている。これら収納棚５０には、商品ケース３０が収納され、この商品ケース３０に、缶ジュース、缶ビール、菓子類等、この販売機で販売される各種の商品４０が収納される。商品ケース３０は、収納棚５０の前後方向にスライド式に格納される。筐体１０の内部には、商品ケース３０に収納されている商品４０を商品払出部１７まで移送するための商品移送装置９０が設けられている。商品移送装置９０は、それ自体、図示しない水平移動機構及び垂直移動機構によって支持されており、これらの機構により商品移送装置９０は、前面パネル１３と収納棚５０との間の空間内の任意の位置に移動することができる。なお、自動販売機の筐体１０の内部には、筐体１０の内部を冷却もしくは加温するための温度制御装置９６が収納されていることもある。
【０００３】
ところで、このような構成を有する自動販売機において、例えば自動販売機を巡回するサービスマン等は、商品ケース３０を前方に引き出し、引き出された商品ケース３０の上方側から商品４０の補充等の作業を行っている。ここで自動販売機の低い位置にある商品ケース３０については、商品ケース３０を引き出した状態で商品ケース３０の内部を視認することができるため、商品の補充等の作業をスムーズに進めることができる。しかしながら、自動販売機の高い位置にある商品ケース３０については、これを前方に引き出した状態では商品ケース３０の内部の様子を自動販売機の前面側から視認しづらく、商品４０の補充等の作業をスムーズに進めることができないという問題があった。
【０００４】
そこで、図８（ａ）に示すように、収納棚５０の底面よりも低い位置に支持部材９７を掛けわたし、引き出した商品ケース３０をこの支持部材９７に置くようにすることが行われている。これにより商品ケース３０はその上方側が自動販売機の前方に向くように傾斜した状態に保持されるため、自動販売機の前面側から商品ケース３０の内部を視認することができ、商品４０の補充等の作業をスムーズに進めることができる。
【０００５】
【特許文献１】
特開平１１−２１９４７６号公報
【０００６】
【発明が解決しようとする課題】
ところで、上記の仕組において、商品の補充を終えて商品ケース３０を再び収納棚５０に戻そうとする場合には、商品ケース３０の前方を上方に押し上げて商品ケース３０の底面と収納棚５０の底面とを平行に保ったまま（図８（ｃ））商品ケース３０を収納棚５０に押し込まねばならず（図８（ｄ））、サービスマン等の作業者は無理な姿勢を強いられる。また、商品ケース３０が高い位置にある場合には商品ケース３０を上方に持ち上げておかねばならず、とくに商品ケース３０に缶ジュースや缶ビール等の重量物が装填されている場合には、作業者は負担を強いられる。
【０００７】
この発明はこのような事情に鑑みてなされたもので、作業者に与える負担が少なく引き出しを容易に出し入れすることが可能な引き出し構造を提供することを目的とする。
【０００８】
【課題を解決するための手段】
この目的を達成する本発明の主たる発明は、前後方向にスライド可能に設けられる引き出しの構造であって、略長方形状の引き出しと、前記引き出しの後方の両側の対称な位置にそれぞれ設けられるローラと、前記引き出しが収納される収納部と、前記引き出しの前記両側のそれぞれに対向して前記収納部に設けられ、前記ローラを前記前後方向にスライド可能に支持するガイドレールとを含み、前記ガイドレールが、前記引き出しが前方にスライドされるにつれ前記ローラの軌道を上方に移動させるように形成されていることとする。
【０００９】
この発明によれば、引き出しが収納部から引き出されるにつれて前記ローラが上方側に移動し、引き出しは引き出された状態でその前側が下方に垂れ下がるように所定角度で傾斜した状態で保持される。このため、引き出しの前方側から引き出しの内部を容易に視認することが可能となり、後述する自動販売機の商品ケースのように、高い位置に引き出しが設けられている場合には、作業者は無理な姿勢を強いられることなく、また、負担も少なく、引き出しへの物の出し入れを容易に行うことができる。また、引き出しを収納部に収納する場合には、引き出しを後方に向けて押し込むようにすることにより前記ローラが下方側に移動し、これにより引き出しは水平な状態に引き起こされる。このため、引き出しを持ち上げる必要がなく、作業者は無理な姿勢をとることなく容易に引き出しを収納部に収納することができる。すなわち、この発明によれば、作業者に与える負担が少なく引き出しを容易に出し入れすることが可能である。
【００１０】
前記ガイドレールは、平板上に立設される上側レール板及び下側レール板とを有し、前記ローラは前記上側レール板及び下側レール板との間に挟まれ、前記上側レール板が当該上側レール板の後方から所定長さ部分において上方側に屈曲する構成であることとする。また、例えば、前記上側レール板の前方側の所定位置には、前記ローラをそれ以上前方に移動させないようにするための停止板が形成されていることとする。これにより引き出しを引き出していくと、最終的に前記ローラが前記停止板に当接することとなり、引き出しはその前側が下方に垂れ下がるように所定角度で傾斜した状態で保持されることになる。
【００１１】
また、例えば、前記引き出しの両側には前記引き出しがスライドされる方向に延びる平板状のレールが設けられ、前記収納部の前方側の前記引き出しの両端部の対称な位置にはそれぞれ前記平板状のレールが載置される支持ローラが設けられ、前記停止板は、前記支持ローラから所定距離だけ後方側に離間させた位置に設けられることとする。これにより引き出しは引き出された状態で引き出しの後方側に設けられた前記ローラと収納部側に設けられた前記支持ローラとによって確実に支持される。なお、例えば、前記停止板は、前記支持ローラから所定距離だけ後方側に離間させた位置に設けられる。
【００１２】
また、前記引き出しは、例えば、販売される商品を収納するために自動販売機の内部に設けられる商品ケースであり、前記収納部は自動販売機の内部に上下に複数段にわたって設けられる棚板によって仕切られた空間（例えば、後述する収納棚）であることとする。
【００１３】
その他、本願が開示する課題、及びその解決方法は、発明の実施の形態の欄及び図面により明らかにされる。
【００１４】
【発明の実施の形態】
図１に本発明の一実施例として説明する自動販売機の正面図を示している。この自動販売機は、例えば、缶、ビン、ペットボトル、紙パックに封入された飲料、カップ等の容器に収容された乳製品や菓子等、様々な形状及び大きさを有する商品を販売することができる。筐体１０の前面には、開閉可能な扉式のパネルである前面パネル１３が設けられている。この自動販売機は、いわゆるシースルー型の自動販売機であり、前面パネル１３には透明板が組み込まれていて顧客が自動販売機の内部に収納されている商品や商品の販売動作等、自動販売機内部の状態を、外から透視することができるようになっている。
【００１５】
前面パネル１３の透明板以外の部分には、購買しようとする商品の選択に際して顧客が操作する操作パネル１４、投入金額・釣り銭金額・商品番号などの各種情報が表示される表示パネル１５、紙幣及びコインの収受を行う金銭収受装置１６、顧客が商品４０を取り出すための商品払出部１７、釣り銭を返却するための釣り銭払出部１８、施錠装置１９、等が設けられている。
【００１６】
自動販売機の内部には、上下にわたって複数の棚板２８が設けられ、これら棚板２８によって複数の収納棚５０が形成されている。各収納棚５０には、自動販売機の前後方向（＋Ｚ、−Ｚ方向）にスライド可能に設けられた商品ケース３０（引き出し）が収納されている。また、前面パネル１３と棚板２８の前端との間の空間内には、この空間内をＸＹ方向に移動し、商品４０を商品払出部１７の位置まで移送するための商品移送装置９０が設けられている。
【００１７】
商品ケース３０の内部には、商品ケース３０内の空間を左右方向に仕切る仕切板６５が設けられ、仕切板６５によって商品を収納するためのスペースである複数の商品コラム３９が形成されている。商品４０は、商品コラム３９に前後方向（＋Ｚ、−Ｚ方向）に縦列された状態で収容されている。
【００１８】
図２に商品ケース３０及びその周辺の構造を前方側斜め上方から見た分解斜視図を示している。商品コラム３９の底部には、商品４０を前後方向（奥行方向：＋Ｚ、−Ｚ方向）に移動させるためのコンベアユニット４１が装着される。コンベアユニット４１は、前後方向に駆動される無端ベルト４３と、無端ベルト４３を支持しているコンベア基台４５とを有する。無端ベルト４３に載置されている商品４０は、無端ベルト４３によって前方向（＋Ｚ方向）に搬送される。無端ベルト４３は、合成繊維の帯状織布を環状（エンドレス）に繋いだものであり、その両端部に沿って後述する背凭れ板６０を無端ベルト４３の所定位置に固定するためのスプロケット穴４４が前後方向に一定の間隔（ピッチ）で設けられている。無端ベルト４３は、コンベア基台４５の前端側及び後端側に設けられているプーリ５４に張架されている。
【００１９】
コンベア基台４５の下部には、Ｌ字状の鍵部４２が設けられている。コンベアユニット４１は、前記鍵部４２を商品ケース３０に設けられているスリット３５に嵌入させることにより商品ケース３０の底面板３１に装着される。この構造によりコンベアユニット４１は商品４０の大きさや商品４０の種類等に応じて商品ケース３０の任意の位置に装着することが可能である。
【００２０】
コンベアユニット４１の前端部には、商品移送装置９０側から無端ベルト４３を駆動させるための動力を受けるための歯車５３が設けられている。この歯車５３が商品移送装置９０に設けられている歯車機構と噛合されることにより、無端ベルト４３を動かすための動力が商品移送装置９０から伝達される。
【００２１】
コンベアユニット４１の前端部には、商品４０をコンベアユニット４１の前端位置に留めるようにするための可動ストッパ７０が設けられている。可動ストッパ７０は、ストッパ部７２とガイド部７４とが一体となった構造である。ストッパ部７２の背面に商品４０が当接することにより、無端ベルト４３により前方に搬送される商品４０がコンベアユニット４１の前端位置に留められる。
【００２２】
ストッパ部７２の前面には、その商品コラム３９に収納されている商品４０の商品名称や商品番号、商品価格等の表示がなされる。可動ストッパ７０は、コンベア基台４５のコンベアユニット４１の前端部に軸支され、ストッパ部７２はバネ等の弾性部材によりコンベアユニット４１の上方側に付勢されている。ストッパ部７２の下側には、商品移送装置９０側に設けられている図示しないレバー機構による押し下げ操作を受けるために受け部７３が形成されている。受け部７３の裏側にはガイド部７４が形成されている。ガイド部７４は、プーリ５４に張架される無端ベルト４３の前端部分を覆うように形成されている。ストッパ部７２は、商品移送装置９０が商品コラム３９の前端に位置している際に商品移送装置９０側に設けられている機構によりコンベアユニット４１の下方側に押し下げられる。この状態で無端ベルト４３が商品４０を前方側に移動させることにより商品４０が商品移送装置９０に収容される。商品移送装置９０が商品払出部１７に向けて移動を開始すると、ストッパ部７２は図示しないバネにより付勢されて再び元の位置に戻される。
【００２３】
背凭れ板６０は、直立に自立させた状態でコンベア基台４５に装着される。背凭れ板６０の底部には、図示しない突起部が設けられている。背凭れ板６０は、この突起部を無端ベルト４３のスプロケット穴４４に嵌入することによりコンベア基台４５に装着される。
【００２４】
背凭れ板６０は、無端ベルト４３が駆動するのに伴って前方向（＋Ｚ方向）に移動する。背凭れ板６０は、その最後尾に載置されている商品４０に当接している。つまり、無端ベルト４３上に載置されている商品４０は、無端ベルト４３の駆動力と背凭れ板６０からの押出力とによって確実に自動販売機の前方側（＋Ｚ方向）に繰り出される。
【００２５】
前面パネル１３と棚板２８の前端との間の空間内には、この空間内をＸＹ方向、すなわち、商品コラム３９の前面側全体にわたって移動する商品移送装置９０が設けられている。自動販売機の筐体１０には、商品移送装置９０を自動販売機の幅方向（Ｘ方向）に移動させる図示しない水平移動機構と、商品移送装置９０を上下（Ｙ方向）に移動させる図示しない鉛直移動機構とが設けられ、商品移送装置９０はこれらの機構によって支持されている。水平移動機構および鉛直移動機構は、それぞれ、商品移送装置９０を移動自在に支持するガイドレールと、商品移送装置９０を移動させるためのモータを備え、商品移送装置９０は、光センサ等の位置検知手段によって各商品コラム３９の幅方向及び上下方向の位置を検知することにより、商品移送装置９０を任意の商品コラム３９に移動させる。
【００２６】
図３は商品移送装置９０を前方側から見た斜視図である。商品移送装置９０は、商品コラム３９からベルト４３によって前面方向に押し出された商品４０が収容される空間であるバケット９１を備えている。商品移送装置９０には、バケット９１に収容された商品４０を商品払出部１７に払い出す際にバケット９１を駆動するための機構、ストッパ部７２をコンベアユニット４１の下方側に移動させるための機構、商品移送装置９０が商品コラム３９の前端に位置している際にコンベアユニット４１の歯車５３に噛合される図示しない歯車機構、この歯車機構を駆動するための動力機構等が設けられている。
【００２７】
図４はこの自動販売機の各種の機能を実現している制御回路を示している。制御回路は、例えば、前面パネル１３の背面側や筐体１０内の所定の位置に設けられる。主制御部４１０（制御手段）は、自動販売機の各種の機能を統括的に制御するものであり、ＣＰＵ４１１、ＲＯＭ４１２、ＲＡＭ４１３、周辺回路４１４等を有するマイクロコンピュータである。ＣＰＵ４１１は、ＲＯＭ４１２から読み出されたプログラムデータの解読結果に従って複数の従制御部群４２０を統括制御する。ＲＡＭ４１３には、ＣＰＵ４１１で論理演算される作業データ（ワークデータ）や従制御部群４２０から供給される各種データ等が記憶される。ＲＯＭ４１２にはプログラムデータ、参照テーブルデータ等が予め記憶されている。なお、ＲＯＭ４１２は、データを製造工程で焼き付け固定するマスクＲＯＭ、データを紫外線消去することによりデータを繰り返し書き込み／読み出しできるＥＰＲＯＭ、ＥＥＰＲＯＭ等の不揮発性記憶素子で構成される。ＲＡＭ４１３は、ＳＲＡＭ等の揮発性素子により構成される。ＲＡＭ４１３のデータはバックアップ電源により保持されている。
【００２８】
主制御部４１０には、操作パネル１４や表示パネル１５を制御する入出力制御部４２１、金銭収受に関する制御を行う金銭収受制御部４２２、商品移送装置９０それ自体のＸＹ面内での移動や商品移送装置９０が備える各種の機構を制御する商品移送装置制御部４２３等の従制御部群４２０が接続している。従制御部群４２０を構成するいずれの回路も主制御部４１０と同様に、それぞれ、ＣＰＵ、ＲＯＭ、ＲＡＭ、周辺回路等を備えて構成される。
【００２９】
次に、この自動販売機から顧客が商品を購入する際における自動販売機の一連の動作について説明する。まず、顧客が金銭収受装置１６に金銭を投入すると、操作パネル１４は操作受付状態となる。顧客が操作パネル１４を操作して購入を希望する商品４０の商品番号を入力すると、水平移動機構及び鉛直移動機構により商品移送装置９０は入力された商品番号に対応する商品コラム３９のところまで移動する。商品移送装置９０が目的の商品コラム３９のところまで移動すると、商品移送装置９０側に設けられている機構が作動して、商品移送装置９０側の歯車機構とコンベアユニット４１の歯車５３とが噛合される。また、商品移送装置９０側に設けられた機構によりストッパ７５がコンベアユニット４１の下方に移動される。次に、商品移送装置９０のギア機構が作動して無端ベルト４３が搬送を開始し、無端ベルト４３の最も商品移送装置９０寄りに載置されていた商品４０が商品移送装置９０のバケット９１に搬出される。商品移送装置９０には、図示しない光学センサが設けられている。この光学センサにより商品４０がバケット９１内に搬入されたことが検知されると、商品移送装置９０は商品払出部１７に向けて移動を開始する。このとき、コンベアユニット４１の下側にスライドされていたストッパ７５は、図示しないバネの作用により再び元の位置に戻り、商品コラム３９の前端部が再び閉塞される。そして、商品移送装置９０が商品払出部１７に到着すると、バケット９１内に収容されている商品４０が商品払出部１７に搬出される。
【００３０】
＝＝＝引き出し構造＝＝＝
次に、商品ケース３０の引き出し構造について説明する。図５は引き出し構造を説明する要部側面図である。図５（ａ）は商品ケース３０が収納棚５０に収納されている状態を、図５（ｂ）は商品ケース３０が収納棚５０から引き出されている状態を、それぞれ示している。また、図６は商品ケース３０の引き出し構造を説明する要部斜視図であり、図６（ａ）は商品ケース３０が収納棚５０に収納されている状態を、図６（ｂ）は商品ケース３０が収納棚５０から引き出されている状態を、それぞれ示している。
【００３１】
図６に示すように、商品ケース３０の内部空間は、商品ケース３０の所定位置に設けられた仕切板６５により仕切られている。商品ケース３０は、略長方形状の底面板３１を有している。底面板３１の後端部には、所定高さの背板３２が形成されている。また、底面板３１の両端部には、所定高さの側板３３が形成されている。仕切板６５は略長方形状を呈し、その前後方向（引き出しがスライドされる方向）の長さは、商品ケース３０の奥行長とほぼ同じ長さである。仕切板６５の下端の所定位置にはＬ字状の鍵部６６（図２を参照）が形成されている。また、仕切板６５の後方端には突板部６７が形成されている。仕切板６５は、鍵部６６を商品ケース３０の底面板３１に設けられているスリット３５に挿入し、かつ、突板部６７を商品ケース３０の背板３２に形成されているスリット３４に挿入することにより商品ケース３０に装着される。このような構造により仕切板６５は容易に商品ケース３０の任意の位置に装着することが可能となっている。
【００３２】
図６に示すように、仕切板６５の前端上部には、係止部６８が設けられている。係止部６８には、商品ケース３０を収納棚５０から引き出した際に商品ケース３０に装填されている商品４０が商品ケース３０からこぼれ落ちてしまわないようにするためのストッパ棒８１が係止される。商品ケース３０の側板３３の外側前端部の両側には、それぞれその一端が商品ケース３０に軸支されるアーム８２が設けられている。ストッパ棒８１は、商品ケース３０の両側に設けられている２つのアーム８２の他端に軸支されている。ストッパ棒８１は商品ケース３０を収納棚５０に収納する際は商品ケース３０の下側にしまい込まれる。一方、商品ケース３０を収納棚５０から引き出す際には、サービスマン等はストッパ棒８１を手で摘んで商品ケース３０の前方側を周回させるように引き出してこれを係止部６８に係止する。アーム８２は商品ケース３０の後方側に図示しないバネにより付勢されており、これによりストッパ棒８１は係止部６８に確実に装着される。
【００３３】
自動販売機の各収納棚５０の左右内側面には、商品ケース支持部材３１０が設けられている。一方、商品ケース３０の側板３３の外側かつ後方両側の左右対称なそれぞれの位置には内側ローラ３３１が設けられている。また、商品ケース支持部材３１０の、商品ケース３０の両側各側板３３に対向する面内には、内側ローラ３３１を自動販売機の前後方向にスライド可能に支持するための、自動販売機の前後方向に延出する外側ガイドレール５１１が設けられている。
【００３４】
図５もしくは図６に示すように、外側ガイドレール５１１は、内側ローラ３３１を上下方向から挟み込む位置に商品ケース３０側に向けて商品ケース支持部材３１０の内側面に立設される上側レール板５１２及び下側レール板５１３とによって構成されている。外側ガイドレール５１１の内側面前方側下部には、後述する内側ガイドレール３２０が載置される外側ローラ５２０が設けられている。
【００３５】
上側レール板５１２は、上側レール板５１２の後端部から前方に所定長さ位置Ａで上方に折り曲げ形成されている。また、折り曲げ形成された部分の端部には、商品ケース３０に設けられている内側ローラ３３１がそれ以上前方側に移動しないように内側ローラ３３１を停止させるための、商品ケース３０の側板３３側に突出させて形成された停止板５１５が設けられている。
【００３６】
商品ケース３０の側板３３の外面下部には、自動販売機の前後方向（Ｚ方向）に延出する内側ガイドレール３２０が設けられている。内側ガイドレール３２０は、商品ケース３０の前後方向に延出し、商品ケース３０の側板３３から商品ケース支持部材３１０側に突出するレール板３２２を備えて構成されている。レール板３２２は、外側ローラ５２０上に載置される。商品ケース３０が前後方向にスライドされる場合には、商品ケース３０のレール板３２２が移動するのに伴い外側ローラ５２０が回転するため、商品ケース３０の前後方向へのスライドは滑らかに行われる。
【００３７】
図６に示すように、商品ケース３０の底面板３１の前端には、指掛け部３８が形成されている。サービスマン等は、この指掛け部３８に指を掛けて力を加えることにより商品ケース３０を前後方向にスライドさせる。
【００３８】
次に、収納棚５０に収納されている商品ケース３０を収納棚５０から引き出す場合における各部の動きについて説明する。図５（ａ）もしくは図６（ａ）の状態において、サービスマン等が、指掛け部３８に指を掛けて商品ケース３０を前方側に引き出すと、まず、内側ローラ３３１が上側レール板５１２及び下側レール板５１３とによって形成される外側ガイドレール５１１の軌道に沿って、前方側にスライドを開始する。上側レール板５１２は、上述したように、上側レール板５１２の後端部から前方側に所定長さ位置Ａの部分で上方側に折り曲げ形成されている。このため、商品ケース３０が前方にスライドされて内側ローラ３３１が所定長さ位置Ａを超えて上側レール板５１２の折り曲げ形成されている領域に進入したところで内側ローラ３３１は上昇を開始し、これにより商品ケース３０はその重量によりその前方側が垂れ下がり始める。また、このとき、内側ローラ３３１には商品ケース３０が前方側に垂れ下がることにより上方に向かう力が印加されるため、商品ケース３０は上側レール板５１２の折り曲げ形成されている領域の斜面に内側ローラ３３１を当接させながら前方にスライドされる。そして、最終的に内側ローラ３３１が停止板５１５に当接すると商品ケース３０はそれ以上スライドさせることができなくなる。この状態において、商品ケース３０はその前方側が後方側よりも低くなるように所定角度だけ傾斜した状態で保持される（図５（ｂ）、図６（ｂ））。なお、このときの商品ケース３０の傾斜角は、内側ローラ３３１と外側ローラ５２０との間の相対的な位置関係や、上側レール板５１２の折り曲げ形成されている部分の傾斜角等によって決まることになる。
【００３９】
このように、商品ケース３０は、収納棚５０から引き出された状態でその前端が下方に垂れ下がるように所定角度で傾斜した状態で保持されている。このため、サービスマン等は、商品ケース３０の内部を商品ケース３０の上面側から視認することが可能であり、商品の補充等の作業をスムーズに進めることができる。また、商品ケース３０は、引き出された状態で停止板５１５に当接している内側ローラ３３１と、商品ケース３０の自重により内側ガイドレール３２０に当接している外側ローラ５２０とによって確実に収納棚５０に保持されている。このため、サービスマン等は安全に作業を進めることができる。また、引き出された商品ケース３０を載置しておくために、商品ケース３０を載置しておくために上述の支持棒等を掛けわたす必要がない。
【００４０】
次に、収納棚５０から引き出されていた商品ケース３０を収納棚５０に収納する際における動作について説明する。商品ケース３０を収納棚５０に収納しようとする場合には、図５（ｂ）、もしくは、図６（ｂ）の状態にある商品ケース３０に対して、サービスマン等は、商品ケース３０の前端側に手を当てて、商品ケース３０を後方側に向けて押し込むようにする。このとき、商品ケース３０の内側ローラ３３１には、上側レール板５１２の斜面方向成分の力が印加され、内側ローラ３３１は、上側レール板５１２に当接したまま上側レール板５１２の斜面に沿って後方側に移動を始める。内側ローラ３３１は商品ケース３０が押し込まれるにつれ徐々に下方に押し下げられていき、傾斜していた商品ケース３０が徐々に水平な状態に引き起こされていく。そして、内側ローラ３３１が所定長さ位置Ａを超えて折り曲げ形成されている領域から外れたところで商品ケース３０は完全に水平な状態に引き起こされる。商品ケース３０は、最終的に外側ローラ５２０が内側ガイドレール３２０の後方端部に形成されている停止板５１６に当接し、商品ケース３０はそれ以上押し込むことができなくなる。
【００４１】
以上のように、商品ケース３０を収納棚５０に収納する際には、サービスマン等は商品ケース３０の前端側に手を当てて商品ケース３０を後方に向けて押し込むように常に後方（−Ｚ方向）に力を加えているだけでよく、また、商品ケース３０を押し込んでいくだけで商品ケース３０は自然に水平な状態に引き起こされていく。すなわち、商品ケース３０を収納棚５０に収納する場合に、サービスマン等は、商品ケース３０を上方に持ち上げておく必要が無い。このため、サービスマン等はさほど負担や無理な姿勢を強いられることなく、スムーズに商品ケース３０を収納棚５０に収納することができる。また、商品ケース３０に重量のある商品４０が満載されている場合でも、商品ケース３０を持ち上げる必要がなく、商品ケース３０を容易に収納棚５０に収納することができる。
【００４２】
ところで、以上に説明した実施例では、商品ケース３０が引き出されるにつれ内側ローラ３３１の軌道が上方側に移動するようにするために、上側レール板５１２をその後方から所定長さ位置Ａで上方側に屈曲させる構造としているが、これ以外の方法とすることもできる。例えば、下側レール板５１３を水平に設け、上側レール板５１２と下側レール板５１３との間の距離が前方側ほど広くなるように上側レール板５１２を下側レール板５１３に対して傾斜させるようにするようにしてもよい。この場合には、収納棚５０に収納されていた商品ケース３０を引き出し始めてから完全に引き出し終わるまでに、徐々に商品ケース３０が傾斜していくことになる。
【００４３】
また、上記実施例における商品ケース３０は、その幅方向両側に側板３３及び背板３２を有する形状としているが、側板３３もしくは背板３２を有しない平板形状であってもよい。なお、この場合には、例えば、内側ローラ３３１を軸支する為の部材を商品ケース３０の幅方向両側に設けておき、これに内側ローラ３３１を取り付けるようにする。また、上記実施例においては、内側ローラ３３１を商品ケース３０の幅方向両側に突出させて設けているが、内側ローラ３３１を突出させないように設ける構成とすることもできる。
【００４４】
以上、一実施形態に基づき本発明について説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることは勿論である。
【００４５】
【発明の効果】
以上に説明したように、本発明によれば、作業者に与える負担が少なく引き出しを容易に出し入れすることが可能な引き出し構造を提供することができる。
【図面の簡単な説明】
【図１】本発明の一実施例によるシースルー型自動販売機の外観構成を示す図である。
【図２】本発明の一実施例による商品ケースの外観を前方側斜め上方から見た分解斜視図を示す図である。
【図３】本発明の一実施例による商品移送装置を前方側から見た斜視図を示す図である。
【図４】本発明の一実施例による制御機構を示す図である。
【図５】本発明の一実施例による引き出し構造を説明する要部側面図であり、図５（ａ）は商品ケースが収納棚に収納されている状態を、図５（ｂ）は商品ケースが収納棚から引き出されている状態を示す図である。
【図６】本発明の一実施例による引き出し構造を説明する要部斜視図であり、図６（ａ）は商品ケースが収納棚に収納されている状態を、図６（ｂ）は商品ケースが収納棚から引き出されている状態を示す図である。
【図７】従来の自動販売機の構成を示す図であり、図７（ａ）は自動販売機の正面図であり、図７（ｂ）は自動販売機の側断面図である。
【図８】従来の自動販売機における商品ケースを収納棚から引き出す際の仕組みを説明する図であり、図８（ａ）は支持部材を掛けわたした状態を示す図であり、図８（ｂ）は掛けわたされた支持部材の上に商品ケースを載置した状態を示す図であり、図８（ｃ）は商品ケースを押し込むためにサービスマン等が商品ケースを上に持ち上げている状態を示す図であり、図８（ｄ）は、商品ケースを収納棚にしまった状態を示す図である。
【符号の説明】
１０  筐体                      １３  前面パネル
１４  操作パネル                １５  表示パネル
１６  金銭収受装置              １７  商品払出部
１８  釣り銭払出部              １９  施錠装置
２８  棚板                      ３０  商品ケース
３１  底面板                    ３２  背板
３３  側板                      ３４  スリット
３９  商品コラム                ４０  商品
４１  コンベアユニット          ４２  鍵部
４３  無端ベルト                ４５  コンベア基台
５０  収納棚                    ５３  歯車
５４  プーリ                    ６０  背凭れ板
６５  仕切板                    ６６  鍵部
６８  係止部                    ７０  可動ストッパ
７２  ストッパ部                ７３  受け部
７４  ガイド部                  ９０  商品移送装置
９６  温度制御装置              ９７  支持部材
３２０  内側ガイドレール        ３３１  内側ローラ
５１２  上側レール板            ５１３  下側レール板
５１５  停止板                  ５２０  外側ローラ
【図１】
2004355047.tif 000003
【図２】
2004355047.tif 000004
【図３】
2004355047.tif 000005
【図４】
2004355047.tif 000006
【図５】
2004355047.tif 000007
【図６】
2004355047.tif 000008
【図７】
2004355047.tif 000009
【図８】
2004355047.tif 000010